(57)【要約】【課題】卓球の試合中におけるタイムや警告の表示を容易にすると共にこれらの表示マークを安定して保持し得るようにした卓球用カウンターの提供。【解決手段】得点用の数字大札（５）とほぼ同形の台紙（４０）の下端縁にタイムマーク（１３）と警告マーク（１４）を上下折り曲げ可能に有するマーク付大札（１０）を、カウント表示面（１）側の左右の数字大札（５）（５）の最下面に、タイムマーク（１３）と警告マーク（１４）の上端縁を数字大札（５）の下端縁の位置と対応させて設けた表示マーク付き卓球用カウンターにおいて、これらタイムマーク（１３）と警告マーク（１４）を上方に折り曲げた際、これらマークの先端の一部を挿入して挟持し得る挟持スリット（４１）を前記台紙（４０）に設けた。【選択図】図４
0003121031.tif 000002
【実用新案登録請求の範囲】
【請求項１】
得点表示に加えてタイムマークと警告マークの表示を可能とした表示マーク付き卓球用カウンターにおいて、得点用の数字大札（５）とほぼ同形の台紙（４０）の下端縁にタイムマーク（１３）と警告マーク（１４）を上下折り曲げ可能に設けると共に、該タイムマーク（１３）と警告マーク（１４）の下端縁を上方に折り曲げた際、これらタイムマーク（１３）と警告マーク（１４）の下端部を挟持して保持し得る挟持スリット（４１）を台紙（４０）に形成した卓球用カウンターのマーク付大札。
【請求項２】
スリット（４１）が、タイムマーク（１３）と警告マーク（１４）の下端部中央を保持する凹型のスリットである請求項１記載のマーク付き大札。
【請求項３】
得点表示に加えてサーバーマークとレシーバーマークの表示を可能とした表示マーク付き卓球用カウンターにおいて、方形状台紙（１５）の下半部に、「サーバー」又は「Ｓ」等のサーバーマーク（１７）および「レシーバー」又は「Ｒ」等のレシーバーマーク（１９）を左右に表示したサーバー・レシーバーマーク表示部（２５）を設け、前記サーバーマークおよびレシーバーマーク（１７）（１９）の表示を左右逆にした別体のサーバー・レシーバーマーク表示板（２１）の上端縁を前記サーバー・レシーバーマーク表示部（２５）の上端部に上下折り曲げ可能に設けると共に、該サーバー・レシーバーマーク表示板（２１）の下端縁を上方に折り曲げた際、この表示板（２１）の下端部を挟持して保持し得る挟持スリット（４３）を前記方形状台紙（１５）の上部に形成した卓球用カウンターのサーバー・レシーバーマーク。
【請求項４】
得点表示に加えてタイムマークと警告マークの表示を可能とした表示マーク付き卓球用カウンターにおいて、得点用の数字大札（５）の幅とほぼ同じで一定寸法丈の短い台紙（４５）の下端縁に、「Ｔ」及び「Ｗ」の記号を一定寸法下方に配置した縦長状のタイムマーク（１３）と警告マーク（１４）の上端縁を上下折り曲げ可能に設けると共に、該タイムマーク（１３）と警告マーク（１４）の下端縁を上方に折り曲げた際、これらタイムマーク（１３）と警告マーク（１４）が得点用数字大札（５）裏面のほぼ中央部に位置するようにした卓球用カウンターのマーク付き大札。
【考案の詳細な説明】
【０００１】  本考案は、卓球の試合時おけるタイム取得や警告の有無を表示可能とし、また、試合途中におけるサーバーを素早く的確に判断できる卓球用カウンターの表示マークに関するものである。
【背景技術】
【０００２】  現在施行されている卓球ルールでは「タイム」は１試合に１回しか認められていない。さらに、試合中における相手選手や審判に対する暴言等の「バッドマナー」については、「警告」が発せられる。【０００３】  このルールに基づき、本考案者は先に、卓球用カウンターにおける得点用の数字大札（５）の下部に、タイムマーク「Ｔ」や、警告マーク「Ｗ」等のマークを表示可能とすることにより、観客はもとより選手や審判においても試合の状況が一目で判断できるようにした卓球用カウンターを考案し出願している。
【特許文献】特開２００５−３１２８６５号
【０００４】  また、従来、卓球の試合は基本的に２１ポイント先取の３ゲームマッチで、サービスについては５本ごとに交替していたが、平成１３年９月１日施行の新ルールでは１１ポイント先取の５ゲームマッチになり、サービスやレシーブについても２本毎に交替することに変更されたため、例えば試合が１０対１０になった場合、サーバー、レシーバー共それぞれ５回も交替することになり、試合終了時に次ゲームのサービスは誰から始めてよいのか判断に迷うことが多い。この迷いは試合が進んで４ゲーム、６ゲームとゲーム数が増すに従い多くなる。その結果試合の進行の遅延を招き、集中力も欠いてコンディションのリズムを狂わせることにもなる。【０００５】  この問題点を解決するためのものとして、本考案者は先に、卓球用カウンターにおけるカウント表示面の裏面左右に、サーバーマーク「Ｓ」とレシーバーマーク「Ｒ」を表示すると共に、これら両マークの近傍に、両者の合計ポイント数により、いずれのコーナーの者がサービスを行なうべきかを審判が容易に判断できるようにした表示マーク付き卓球用カウンターを考案し出願している。
【特許文献】特開２００５−３１２８６５号
【０００６】  前記特許文献に示す卓球用カウンターにおいては、タイムマークや警告マークの表示手段として、図１〜図４に示すように、得点用の数字大札（５）とほぼ同形の台紙（４０）の下端縁にタイムマーク（１３）と警告マーク（１４）をテープ状ヒンジ（１２）を介して上下折り曲げ可能に有するマーク付大札（１０）が、カウント表示面（１）側の左右の数字大札（５）（５）の最下面に、タイムマーク（１３）と警告マーク（１４）の上端縁を数字大札の下端縁の位置と対応させて設けられている。【０００７】  このマーク付き大札（１０）は、図２、図３に示すように複数の数字大札（５）の最下面に上部左右のリング孔（１１）（１１）をリング（４）に通して保持される。すなわち、「Ｔ」と「Ｗ」の表示マーク（１３）（１４）は、必要によりその前方に位置する数字大札（５）の下端部を少し持ち上げることによって図５の二点鎖線による矢印に示すように指先にて容易に上下に上げ下げすることができるようになっており、下方に垂らした場合には図２、図４に示すように「Ｔ」や「Ｗ」の表示がカウント表示面（１）の表面に明示され、上方に折り返した場合には、図１の右側や図５の二点鎖線にて示すように、その前方に配置されている数字大札（５）により押えられる形で前記表示を隠すようになっている。【０００８】  図６は、前記マーク付き大札（１０）の形成に際し、台紙（４０）とタイムマーク（１３）および警告マーク（１４）との取り付け手段として、テープ状ヒンジ（１２）に代えて小リング（２７）を利用した形態を示すものである。すなわち、台紙の下端部と両表示マーク（１３）（１４）の上端部にそれぞれ小孔（２６）（２６）を形成し、上下の両小孔（２６）（２６）間を小リング（２７）にて連結することにより、両表示マーク（１３）（１４）を上下に折り曲げ可能としている。【０００９】  また、前記の卓球用カウンターにおいては、サーバーマークやレシーバーマークの表示手段として、図１、図８に示すように、上部左右にリング孔（１６）（１６）を備えた方形状台紙（１５）の下半部に「サーバー」又は「Ｓ」等のサーバーマーク（１７）および「レシーバー」又は「Ｒ」等のマーク（１９）を左右に表示したサーバー・レシーバーマーク表示部（２５）を設け、前記サーバーマークおよびレシーバーマーク（１７）（１９）の表示を左右逆にした図９に示すような、サーバー・レシーバーマーク表示板（２１）の上端縁を前記サーバー・レシーバーマーク表示部（２５）の上縁部に上下折り曲げ可能に設けた方形状台紙（１５）と、上部左右に前記リング孔（１６）（１６）と同ピッチのリング孔（２２）（２２）を備えた前記方形状台紙（１５）の上半部を覆う大きさの方形状の押え板（２３）とを重ねて、カウント表示面（１）と反対側の背面（２）中央部の両数字小札（６）（６）の最下面に、前記方形状台紙（１５）と押え板（２３）の両リング孔（１６）（１６）（２２）（２２）を中央の数字小札用の両リング（４）（４）に通して設けている。【００１０】  前記サーバーマーク「Ｓ」（１７）側にはゲーム時にサーバーマーク側の選手がサーバーとなる場合のサーバーとレシーバーの合計ポイント数（１８）を表示すると共に、レ��ーバーマーク「Ｒ」（１９）側にはゲーム時にレシーバーマーク側の選手がサーバーとなる場合のサーバーとレシーバーの合計ポイント数（２０）が表示されている。【００１１】  前記のサーバー・レシーバーマークの表示に際しては、第１ゲームの開始時におけるサーバーが審判から見てコートの左側に位置する場合、図１０の二点鎖線の矢印にて示すように前方の押え板（２３）を上方に上げて、下方に垂れているサーバー・レシーバーマーク表示板（２１）を矢印にて示すように上方に折り曲げた後、押え板（２３）を元に戻してサーバー・レシーバー表示部（２５）を表面に出し、図８に示すようにサーバーマーク「Ｓ」を左側に表示した状態で試合を始める。【００１２】  試合が進行し、何度もサービスチェンジを繰り返した時点で、次のサーバーがどちら側かわからなくなった際、その時点でのサーバーとレシーバーの合計ポイント数（これは数字大札（５）（５）のカウント表示により常に明確である）を確認し、サーバーとレシーバー、即ち、ＳとＲの合計ポイント数を「Ｓ」又は「Ｒ」の下部に記載されている数字から探す。その時のＳとＲのカウントが図２のように８対２とすると、この合計ポイント数は「１０」となる。合計ポイント「１０」は右側のレシーバーマーク「Ｒ」の側にあるので、その時点でのサーバーはレシーバーマーク「Ｒ」側の選手となる。【００１３】  前記とは逆に、第１ゲームの開始時におけるサーバーが審判から見てコートの右側に位置する場合は、図１０に二点鎖線の矢印にて示すように前面の押え板（２３）を持ち上げ、上方へ折り曲げられている前記マーク表示板（２１）を下方に垂らすことにより、図９に示す「Ｓ」が右に位置した状態の表示を表面に出して試合を始める。
【考案の開示】
【本考案が解決しようとする課題】
【００１４】  本考案が解決しようとする問題点は、前記タイムマーク（１３）や警告マーク（１４）、あるいは、サーバー・レシーバーマーク表示板（２１）を上方に折り曲げた際の支持形態が、図２に示すように、その前面に斜め状に重なって位置する数字大札（５）、あるいは、押え板（２３）による軽い押圧によるものであるため、試合中に得点を左右の観客に見せる際に卓球用カウンターを左右に振ったり揺らしたりすると、上面から押圧状態にある数字大札（５）、あるいは、押え板（２３）が浮いて、タイムマーク（１３）や警告マーク（１４）、あるいは、サーバー・レシーバーマーク表示板（２１）が下方に垂れ下り、事実と異なる表示をすることになって、試合の進行に支障をきたす点である。
【課題を解決するための手段】
【００１５】  本考案は、前記卓球用カウンターの表示マークを構成するマーク付き大札（１０）の台紙（４０）やタイムマーク（１３）、警告マーク（１４）等の材質が、ポリエチレンを含んだ合成紙「ＷＥ−２５０」（日清紡製）で、厚さ約０．２５ｍｍ程度の強靭で可撓性を備えたものであることに着目し、前記タイムマーク（１３）や警告マーク（１４）、あるいはサーバー・レシーバーマーク表示板（２１）の上方に位置する台紙（４０）や（１５）の上方に挟持スリット（４１）や（４３）を設け、前記各表示マークを上方に折り曲げた際、このスリットに各表示マークの下端部を差し込み支持することにより、各表示マークの安易な垂れ下りを防止したことを最も重要な特徴とするものである。
【００１６】  また、本考案は、前記タイムマーク（１３）や警告マーク（１４）の上端部を折り曲げ可能に支持するマーク付き大札（１０）の丈を数字大札（５）より一定寸法短くして、数字大札（５）の下端部より上方に位置させることによりタイムマーク（１３）や警告マーク（１４）を上方へ折り曲げた際、これら表示マークが数字大札（５）裏面のほぼ中央部に位置するようにして、容易な垂れ下りを防止したことを特徴とするものである。
【考案の効果】
【００１７】  本考案に係る卓球用カウンターのマーク付き大札（１０）においては、タイムマーク（１３）や警告マーク（１４）を上方に折り曲げた状態において、これら各表示マークの先端部が挟持スリット（４１）に挿入され挟持されているので、卓球用カウンター自体を激しく振ったり揺らしたりしてもスリットに挟持された各表示マークは容易に外れて下方に垂れ下ることはない。
【００１８】  また、本考案に係るサーバー・レシーバー表示板（２１）においては、これを上方に折り曲げた状態において、その先端部が挟持スリット（４３）に挿入され挟持されているので、卓球用カウンター自体を激しく振ったり揺らしたりしても挟持スリット（４３）に挟持された表示板（２１）は容易に外れて下方に垂れ下ることはない。
【００１９】  さらに、本考案に係る丈を短くしたマーク付き大札（１０）においては、上方に折り曲げたタイムマーク（１３）や警告マーク（１４）の位置が、その前面を押圧する数字大札（５）裏面のほぼ中央部すなわち、奥の方に位置することになるので、各表示マークは従来品より容易に垂れ下り難い。
【本考案を実施するための最良の形態】
【実施例１】
【００２０】  本考案は、図４に示すように前記合成紙「ＷＥ−２５０」を素材とする台紙（４０）のタイムマーク（１３）と警告マーク（１４）の上方に凹状の挟持スリット（４１）が打ち抜きにより形成されている。この挟持スリット（４１）においては、二点鎖線にて示すようにマーク（１４）を上方に折り曲げて挟持スリット（４１）に下方から差し込んだ際、図７に示すようにマーク（１４）の下端中央部の一部が挟持スリット中央部の押圧舌片（４２）にて挟圧支持され、安定的に保持される。前記押圧舌片（４２）による各マーク（１３）（１４）の挟圧保持は、該舌片とマーク自体の材質が持つ可撓性と弾力性により維持され、挟圧保持の開放と挟圧はくり返し可能である。【００２１】  図６は本考案に係る挟持スリット（４１）の他の例を示したもので、この図６には台紙（４０）のタイムマーク（１３）と警告マーク（１４）の上方中央寄りに斜め直線状の挟持スリット（４１）が打ち抜きにより設けられている。この挟持スリット（４１）には二点鎖線にて示すようにマーク（１４）を上方に折り曲げて挟持スリット（４１）に下方から差し込んだ際、マーク（１４）の内側コーナーが前記と同様に安定的に挟圧支持される。なお、このスリットの形状は凹状や直線状に限定されるものではなく、円弧状でもよい。
【実施例２】
【００２２】  図８は、サーバー・レシーバーマークの上方の台紙（１５）に幅の広い逆台形状の挟持スリット（４３）を打ち抜きにより形成したものである。この挟持スリット（４３）においても、台紙（１５）下方の「Ｓ」と「Ｒ」のマーク表示部（２５）を上方に折り曲げて挟持スリット（４３）に下方から差し込んだ際、マーク表示部（２５）の下端中央部が前記実施例１と同様の状態（図７参照）で押圧舌片（４４）により挟圧保持される。
【実施例３】
【００２３】  図１１は、本考案に係るスリットを用いない方式によるタイムマーク（１３）と警告マーク（１４）の保持形態を示すマーク付き大札（１０）で、台紙として数字大札（５）の幅とほぼ同じ幅で上下方向の丈（長さ）が一定寸法（Ｌ）短い台紙（４５）を用い、その下端縁左右に、タイムマーク（１３）の記号としての「Ｔ」の文字と警告マーク（１４）の記号としての「Ｗ」の文字を一定寸法（Ｌ）下方に配置したやや縦長状のタイムマーク（１３）と警告マーク（１４）の上端縁をテープ状ヒンジ（１２）又は小リングにて上下折り曲げ可能に連結されているものである。【００２４】  従って、このマーク付き大札（１０）の保持形態においては、図１２に示すように、タイムマーク（１３）や警告マーク（１４）を上方に折り曲げた際、これら両マークが得点用の数字大札（５）裏面の上下方向のほぼ中央部に位置し、挟持形態として、いわゆるマークの先端が奥まで入り込むことになるので、数字大札（５）による押え効果が増し、振れや揺れによるマークの垂れ下り防止効果が従来よりも大幅に増す。【００２５】  なお、前記実施例３の実施形態は、前記実施例２のサーバー・レシーバーマークにおいても適用できる。
【産業上の利用可能性】
【００２６】  上述のように、本考案に係る卓球カウンターの表示マークとしての、挟持スリットを有するマーク付き大札については、構成部材としての追加はなく、スリットの形成についても一回の打ち抜き加工により得られるので、加工経費が安価である。又、サーバー・レシーバーマークについても、部材の追加等は必要なく、寸法採りの工夫のみで可能なため経済的である。
【図面の簡単な説明】
【図１】本考案に係る卓球用カウンターの展開図。
【図２】本考案に係る卓球用カウンターの組立状態を示す正面側の斜視図。
【図３】本考案に係る卓球用カウンターを折りたたんだ状態の側面図。
【図４】本考案に係るマーク付大札の一例の正面図。
【図５】図４のＡ−Ａ断面図。
【図６】本考案に係るマーク付き大札の他の例の正面図。
【図７】警告マークをスリットにて挟持した状態における図４のＣ−Ｃ拡大端面図。
【図８】本考案に係るサーバー・レシーバーマーク台紙の一例の正面図。
【図９】本考案に係るサーバー・レシーバーマーク表示板の一例の正面図。
【図１０】図８のＢ−Ｂ断面図。
【図１１】本考案に係るマーク付き大札の他の一例の正面図。
【図１２】図１１のＤ−Ｄ断面図。
【符号の説明】
１                  カウント表示面
２                  背面
３                  底面
４                  リング
５                  数字大札
６                  数字小札
７、８、９          ホック
１０                マーク付き大札
１１、１６、２２    リング孔
１２、２４          テープ状ヒンジ
１３                タイムマーク
１４                警告マーク
１５、４０、４５    台紙
１７                サーバーマーク
１８                ＳがサーバーとなるケースのＳとＲの合計ポイント数
１９                レシーバーマーク
２０                ＲがサーバーとなるケースのＳとＲの合計ポイント数
２１                サーバー・レシーバーマーク表示板
２３                押え板
２５                サーバー・レシーバーマーク表示部
２６                小孔
２７                小リング
４１、４３          挟持スリット
４２、４４          押圧舌片
【図１】
0003121031.tif 000003
【図２】
0003121031.tif 000004
【図３】
0003121031.tif 000005
【図４】
0003121031.tif 000006
【図５】
0003121031.tif 000007
【図６】
0003121031.tif 000008
【図７】
0003121031.tif 000009
【図８】
0003121031.tif 000010
【図９】
0003121031.tif 000011
【図１０】
0003121031.tif 000012
【図１１】
0003121031.tif 000013
【図１２】
0003121031.tif 000014